(57)【要約】【課題】  簡単な構成で、複数の鍵を自動的に動作させて自動演奏ができる鍵盤装置を提供する。【解決手段】  下部ケース３上に並列に配列された状態で上下方向に回転可能に設けられた複数の鍵５と、この複数の鍵５の下側に鍵５の配列方向に沿った状態で上下方向に回転可能に配置され、且つ外周面に複数の突起部２３が各鍵５に対応して設けられた回転ドラム２０と、複数の鍵５に設けられ、且つ回転ドラム２０の回転動作に応じて複数の突起部２３が接離して、各鍵５を上下方向に回転動作させるための鍵操作部２４とを備えている。従って、回転ドラムが回転して複数の突起部２３が各鍵操作部２４に接離することにより、各鍵５を上下方向に回転動作させることができ、これにより複数の鍵５を自動的に動作させることができる。【選択図】        図３
2013015627.tif 000002
【特許請求の範囲】
【請求項１】
楽器本体に並列に配列された状態で上下方向に回転可能に設けられた複数の鍵と、
この複数の鍵の下側に前記鍵の配列方向に沿った状態で上下方向に回転可能に配置され、且つ外周面に複数の突起部が前記複数の鍵にそれぞれ対応して設けられた回転ドラムと、
前記複数の鍵にそれぞれ設けられ、且つ前記回転ドラムの回転動作に応じて前記複数の突起部が接離することにより、前記各鍵をそれぞれ上下方向に回転動作させるための鍵操作部と、
を備えていることを特徴とする鍵盤装置。
【請求項２】
請求項１に記載の鍵盤装置において、前記鍵の前記鍵操作部は、前記複数の突起部のうち、前記回転ドラムの上部に位置する前記突起部が下側から当接した際に前記鍵を押し上げ、前記回転ドラムの上部に位置する前記突起部間に対応した際に前記鍵の押し上げを解除して前記鍵の引き下げ動作を可能な状態にすることを特徴とする鍵盤装置。
【請求項３】
請求項２に記載の鍵盤装置において、前記複数の鍵をそれぞれ引き下げる方向に付勢する付勢部材を備えていることを特徴とする鍵盤装置。
【請求項４】
請求項２または請求項３に記載の鍵盤装置において、前記複数の鍵がそれぞれ上下方向に回転動作した際にそれぞれスイッチ動作するスイッチ部を更に備え、
このスイッチ部は、前記複数の突起部のうち、前記回転ドラムの上部に位置する前記突起部が前記鍵操作部に下側から当接して前記鍵を押し上げる際に、オフ動作し、前記回転ドラムの上部に位置する前記突起部間に前記鍵操作部が対応して前記鍵が前記付勢部材によって引き下げられる際に、オン動作することを特徴とする鍵盤装置。
【請求項５】
請求項２〜請求項４に記載の鍵盤装置において、前記鍵の前記鍵操作部は、弾性部材からなり、前記複数の突起部のうち、前記回転ドラムの上部に位置する前記突起部が下側から当接して前記鍵を押し上げる際に、ほとんど弾性変形せず、前記回転ドラムの上部に位置する前記突起部が下側から当接して前記鍵が押し上げられた状態で、前記鍵が押鍵操作された際に、弾性変形して前記鍵の押し下げ動作を可能にすることを特徴とする鍵盤装置。
【請求項６】
請求項１に記載の鍵盤装置において、前記鍵の前記鍵操作部は、前記複数の突起部のうち、前記回転ドラムの下部に位置する前記突起部が上側から当接した際に、前記鍵を引き下げ、前記回転ドラムの下部に位置する前記突起部間に対応した際に、前記鍵の引き下げ動作を解除して、前記鍵を初期位置に復帰可能な状態にすることを特徴とする鍵盤装置。
【請求項７】
請求項６に記載の鍵盤装置において、前記鍵の前記鍵操作部は、前記複数の突起部のうち、前記回転ドラムの下部に位置する前記突起部間に挿入した状態で、前記鍵が押鍵操作された際に、前記突起部間から下側に離脱して、前記鍵の押し下げ動作を可能にすることを特徴とする鍵盤装置。
【請求項８】
請求項６または請求項７に記載の鍵盤装置において、前記複数の鍵がそれぞれ上下方向に回転動作した際にそれぞれスイッチ動作するスイッチ部を更に備え、
このスイッチ部は、前記複数の突起部のうち、前記回転ドラムの下部に位置する前記突起部が前記鍵操作部に上側から当接して前記鍵を引き下げる際に、オン動作し、前記回転ドラムの下部に位置する前記突起部間に前記鍵操作部が対応して前記鍵が初期位置に復帰する際に、オフ動作することを特徴とする鍵盤装置。
【発明の詳細な説明】
【技術分野】
【０００１】
この発明は、電子ピアノや電子オルガンなどの鍵盤装置に関し、更に詳しくはオルゴール方式による自動演奏機能を備えた鍵盤装置に関する。
【背景技術】
【０００２】
例えば、鍵盤部を備えた鍵盤楽器タイプの玩具においては、特許文献１に記載されているように、ゼンマイによってオルゴールを駆動して楽音を奏でると共に、このオルゴールのゼンマイによって回転体を回転させて人形などの動作体を動作させるように構成されたものが知られている。
【先行技術文献】
【特許文献】
【０００３】
【特許文献１】特開２００６−１４９９８０号公報
【発明の概要】
【発明が解決しようとする課題】
【０００４】
しかしながら、このような鍵盤部を備えた鍵盤楽器タイプの玩具では、オルゴールが奏でている楽音に応じて人形などの動作体を動作させて楽しむことができても、オルゴールが奏でている楽音に応じて鍵盤部の各鍵を動作させることができないため、鍵盤楽器として十分に楽しむことができないとうい不都合がある。
【０００５】
この発明が解決しようとする課題は、簡単な構成で、複数の鍵を自動的に動作させて自動演奏をすることができる鍵盤装置を提供することである。
【課題を解決するための手段】
【０００６】
この発明は、楽器本体に並列に配列された状態で上下方向に回転可能に設けられた複数の鍵と、この複数の鍵の下側に前記鍵の配列方向に沿った状態で上下方向に回転可能に配置され、且つ外周面に複数の突起部が前記複数の鍵にそれぞれ対応して設けられた回転ドラムと、前記複数の鍵にそれぞれ設けられ、且つ前記回転ドラムの回転動作に応じて前記複数の突起部が接離することにより、前記各鍵をそれぞれ上下方向に回転動作させるための鍵操作部と、を備えていることを特徴とする鍵盤装置である。
【発明の効果】
【０００７】
この発明によれば、回転ドラムを回転させると、この回転ドラムに設けられた複数の突起部が、複数の鍵にそれぞれ設けられた各鍵操作部に接離し、複数の鍵をそれぞれ上下方向に回転動作させることができる。このため、発生させる楽音に応じて複数の鍵をそれぞれ自動的に動作させることができるので、構成が簡単で、複数の鍵を自動的に動作させて自動演奏をすることができる。
【図面の簡単な説明】
【０００８】
【図１】この発明を電子鍵盤楽器に適用した実施形態１を示した平面図である。
【図２】図１に示された電子鍵盤楽器のＡ−Ａ矢視において、一部を省略して示した拡大断面図である。
【図３】図１に示された電子鍵盤楽器のＢ−Ｂ矢視において、鍵の鍵操作部が回転ドラムの突起部によって押し上げられて、鍵スイッチ部をオフ動作させた状態を示した拡大断面図である。
【図４】図３に示された各鍵を示し、（ａ）は黒鍵を示した拡大断面図、（ｂ）は白鍵を示した拡大断面図である。
【図５】図３に示された電子鍵盤楽器において、回転ドラムが回転して鍵の鍵操作部が回転ドラムの突起部間に位置し、鍵が錘部の重量によって引き下げられて、鍵スイッチ部をオン動作させた状態を示した拡大断面図である。
【図６】図３に示された電子鍵盤楽器において、鍵の鍵操作部が回転ドラムの突起部によって押し上げられた状態で、鍵が押鍵操作されて鍵の鍵操作部が弾性変形し、鍵スイッチ部をオン動作させた状態を示した拡大断面図である。
【図７】図１に示された電子鍵盤楽器の回路構成を示したブロック図である。
【図８】この発明を電子鍵盤楽器に適用した実施形態２において、鍵の鍵操作部の当接部が回転ドラムの突起部間に位置して、鍵が押し上げられた初期状態を示した拡大断面図である。
【図９】図８に示された各鍵を示し、（ａ）は黒鍵を示した拡大断面図、（ｂ）は白鍵を示した拡大断面図である。
【図１０】図８に示された電子鍵盤楽器において、回転ドラムが回転して鍵の鍵操作部が回転ドラムの突起部によって押し下げられ、鍵スイッチ部がオン動作した状態を示した拡大断面図である。
【図１１】図８に示された電子鍵盤楽器において、鍵の鍵操作部の当接部が回転ドラムの突起部間に挿入して鍵が押し上げられた初期状態で、鍵が押鍵操作されて鍵の鍵操作部の当接部が回転ドラムの突起部間から下側に離脱し、鍵スイッチ部がオン動作した状態を示した拡大断面図である。
【発明を実施するための形態】
【０００９】
（実施形態１）
以下、図１〜図７を参照して、この発明を電子鍵盤楽器に適用した実施形態１について説明する。
この電子鍵盤楽器は、図１に示すように、楽器本体１を備えている。この楽器本体１は、上部ケース２と下部ケース３とで構成され、その内部に鍵盤部４が設けられた構成になっている。この鍵盤部４は、図１〜図４に示すように、白鍵５ａおよび黒鍵５ｂからなる複数の鍵５を有し、この複数の鍵５が並列に配列された状態で、それぞれ上下方向に回転するように構成されている。
【００１０】
この場合、上部ケース２は、図１に示すように、鍵盤部４の後部（図１では上辺部側）の上方に位置する箇所から鍵盤部４の更に後方に位置する箇所に亘る部分、および鍵５の配列方向における鍵盤部４の両側に位置する部分において、下部ケース３上に設けられている。これにより、鍵盤部４は、上部ケース２で覆われることなく、上部ケース２の上方に露出するように構成されている。
【００１１】
この上部ケース２には、図１に示すように、スピーカ部６、表示部７、および操作スイッチ部８が設けられている。スピーカ部６は、楽音などの音を発生するためのものであり、図１に示すように、上部ケース２の上面における左上側に位置する箇所に設けられている。表示部７は、上部ケース２の上面におけるスピーカ部６の右側に位置する箇所に設けられている。
【００１２】
この表示部７は、液晶表示パネルやＥＬ（エレクトロ・ルミネッセンス）表示パネルなどの平面型の表示パネルからなり、、鍵盤楽器に必要な各種の情報を電気光学的に表示するように構成されている。操作スイッチ部８は、電源スイッチ、音量スイッチ、音色スイッチなどの各種のスイッチを備え、上部ケース２の上面に分散して設けられている。
【００１３】
ところで、鍵盤部４の各鍵５は、図３〜図５に示すように、その各後端部に肉厚の薄い屈曲部１０がそれぞれ後方（図３では左側）に向けて突出して形成され、この各屈曲部１０の後端部に鍵５の配列方向（図３では紙面の表裏面方向）に連続する連結部１１が形成され、この連結部１１が下部ケース３の鍵支持部１２上に取り付けられるように構成されている。
【００１４】
これにより、複数の鍵５は、図３および図５に示すように、各屈曲部１０の弾性力によって上方に向けて付勢され、この状態で各鍵５が上方から押鍵操作された際に、各屈曲部１０が下側に向けて撓み変形することにより、各屈曲部１０を中心にそれぞれ上下方向に回転するように構成されている。
【００１５】
この場合、複数の鍵５は、図３に示すように、各前端部（図３では右端部）にストッパ部１３が設けられ、このストッパ部１３が下部ケース３の前部に設けられた位置規制部１４に下側から当接することにより、上限位置が規制されるように構成されている。また、この複数の鍵５には、後述する鍵スイッチ部１６を押圧するためのスイッチ押圧部１５がそれぞれ下側に突出して設けられている。
【００１６】
一方、下部ケース３には、図３および図５に示すように、鍵スイッチ部１６が複数の鍵５の下側に位置した状態で設けられている。この鍵スイッチ部１６は、下部ケース３に設けられた複数の支持ボス１７上に取り付けられたスイッチ基板１８と、このスイッチ基板１８上に設けられたゴムシート１９とを備えている。
【００１７】
スイッチ基板１８は、図１に点線で示しように、鍵５の配列方向（図１では左右方向）に連続する帯板状に形成され、図３に示すように、複数の鍵５における各スイッチ押圧部１５の下側に位置した状態で、下部ケース３に設けられた複数の支持ボス１７上にビス１７ａによって取り付けられている。
【００１８】
また、ゴムシート１９は、図３に示すように、鍵５の配列方向に連続する細長い帯状にで、その前後方向（図３では左右方向）の長さがスイッチ基板１８の前後方向の長さよりも短く形成されている。このゴムシート１９は、複数の鍵５の各スイッチ押圧部１５に対応する箇所に位置するスイッチ基板１８上に設けられている。このゴムシート１９には、ドーム状の膨出部１９ａが複数の鍵５の各スイッチ押圧部１５にそれぞれ対応して設けられている。
【００１９】
この場合、ドーム状の膨出部１９ａは、図３に示すように、その内部に可動接点１９ｂが、スイッチ基板１８上に設けられた固定接点１８ａの上方に離れた状態で対向して設けられ、この状態で上方から押圧された際に、図５に示すように、潰れるように弾性変形する構成になっている。
【００２０】
これにより、鍵スイッチ部１６は、図３および図５に示すように、ゴムシート１９に形成されたドーム状の膨出部１９ａが鍵５のスイッチ押圧部１５によって押されて弾性変形した際に、膨出部１９ａ内の可動接点１９ｂがスイッチ基板１８上の固定接点１８ａに接触して、スイッチ信号を出力するように構成されている。
【００２１】
また、このドーム状の膨出部１９ａは、図３に示すように、鍵５が上方から押圧されていないときに、ドーム形状に弾性復帰して鍵５のスイッチ押圧部１５を鍵５の屈曲部１０の弾性復帰力と共に押し上げることにより、鍵５の前端部に設けられたストッパ部１３を下部ケース３の位置規制部１４に下側から当接させて、鍵５を初期位置である上限位置に位置規制させるように構成されている。
【００２２】
ところで、下部ケース３上には、図１〜図３に示すように、回転ドラム２０が複数の鍵５における後部（図３では左側部）の下側に位置した状態で、上下方向に回転可能に配置されている。この回転ドラム２０は、図１および図２に示すように、鍵５の配列方向に連続する円筒状に形成されている。この場合、回転ドラム２０の一端部（図２では左端部）には、支持軸２０ａが設けられており、この回転ドラム２０の他端部（図２では右端部）には、軸受け部２０ｂが設けられている。
【００２３】
これにより、回転ドラム２０は、図２に示すように、一端部の支持軸２０ａが下部ケース３上に設けられたモータ部２１の出力軸２１ａに取り付けられ、他端部の軸受け部２０ｂに、下部ケース３上に設けられた支持部材２２の先端部２２ａが回転可能に挿入することにより、下部ケース３上に回転可能に配置され、モータ部２１の回転に応じて上下方向に回転するように構成されている。
【００２４】
この回転ドラム２０の外周面には、図２および図３に示すように、複数の突起部２３が複数の鍵５にそれぞれ対応して設けられている。この複数の突起部２３は、演奏曲の楽譜に応じて各鍵５を上下方向に動作させるために、複数の突起部２３の各間隔が楽譜の音符に対応した状態で、回転ドラム２０の外周面にその円周方向に沿ってそれぞれ設けられている。
【００２５】
また、複数の鍵５には、図３〜図５に示すように、それぞれ鍵操作部２４が回転ドラム２０の上部に位置する各突起部２３に対応して設けられている。この鍵操作部２４は、回転ドラム２０の回転動作に応じて複数の突起部２３が上側に回転移動し、この回転ドラム２０の上側に回転移動した突起部２３が順次接離することにより、各鍵５を上下方向に回転動作させるように構成されている。
【００２６】
すなわち、この鍵操作部２４は、図３に示すように、回転ドラム２０が回転して複数の突起部２３が上下方向に回転移動し、この回転移動に伴って回転ドラム２０の上部に位置した突起部２３が下側から当接した際に、この上部に位置する突起部２３によって押し上げられることにより、鍵５を押し上げるように構成されている。
【００２７】
また、この鍵操作部２３は、図５に示すように、回転ドラム２０の上部に位置する突起部２３間に対応した際に、鍵５の押し上げを解除して、突起部２３間に挿入可能な状態になることにより、鍵５の引き下げ動作を可能にするように構成されている。この場合、複数の鍵５の前部には、図３〜図５に示すように、鍵操作部２４が回転ドラム２０の上部に位置する突起部２３間に対応した際に、鍵５を引き下げて鍵スイッチ部１６をオン動作させるための、付勢部材である錘部２５がそれぞれ設けられている。
【００２８】
これにより、鍵スイッチ部１６は、図３に示すように、複数の突起部２３のうち、回転ドラム２０の上部に位置する突起部２３が鍵操作部２４に下側から当接して鍵５を押し上げる際に、オフ動作し、回転ドラム２０の上部に位置する突起部２３間に鍵操作部２４が対応して鍵５が錘部２５の重量によって引き下げられる際に、オン動作するように構成されている。
【００２９】
また、複数の鍵５の各鍵操作部２４は、それぞれゴムなどの弾性材料からなり、図３に示すように、回転ドラム２０の上部に位置する突起部２３によって鍵５を錘部２５の重量に抗して押し上げる際に、ほとんど弾性変形せず、回転ドラム２０の上部に位置する突起部２３による押し上げ力よりも強い力で鍵５が押し下げられた際に、図６に示すように、弾性変形するように構成されている。
【００３０】
すなわち、この鍵操作部２４は、図６に示すように、回転ドラム２０の上部に位置する突起部２３が下側から当接して鍵５が押し上げられた状態で、鍵５が押鍵操作された際に、弾性変形することにより、鍵５の押し下げ動作を可能にし、鍵５のスイッチ押圧部１５による鍵スイッチ部１６のオン動作を可能にするように構成されている。
【００３１】
次に、図７に示されたブロック図を参照して、この電子鍵盤楽器の回路構成について説明する。
この電子鍵盤楽器の回路構成は、鍵盤楽器の回路全般を制御するＣＰＵ（中央演算処理装置）３０と、予め定められたプログラムおよび入力されたデータを格納するメモリ部３１と、音量、音色、モード切替などの各種のスイッチを備えた操作スイッチ部８と、複数の鍵５の押鍵動作に基づいてそれぞれスイッチ信号を出力する鍵盤部４の鍵スイッチ部１６と、ＣＰＵ３０からの指令に基づいて各種の情報を表示する表示部７と、ＣＰＵ３０からの指令に基づいてモータ部２１を駆動するモータ駆動回路３２とを備えている。
【００３２】
また、この電子鍵盤楽器の回路構成は、ＣＰＵ３０からの指令に基づいて音源データを生成する音源部３３と、この音源部３３で生成された音源データに基づいて楽音データを生成するサウンドシステム３４とを備えている。この場合、サウンドシステム３４は、音源部３３からの音源データに基づいて生成した楽音データをスピーカ部６に与え、このスピーカ部６から楽音を発生させる。また、これらＣＰＵ３０、メモリ部３１、操作スイッチ部８、鍵スイッチ部１６、表示部７、モータ駆動回路３２、音源部３３、およびサウンドシステム３４は、バスライン３５によって接続されている。
【００３３】
次に、このような電子鍵盤楽器の作用について説明する。
この電子鍵盤楽器で自動演奏をする場合には、モータ部２１を駆動すれば良い。すると、モータ部２１の回転が出力軸２１ａおよび回転ドラム２０の支持軸２０ａを介して回転ドラム２０に伝達され、これにより回転ドラム２０が上下方向に回転する。このように回転ドラム２０が回転すると、その外周面に設けられた複数の突起部２３が回転ドラム２０と共に上下方向に回転移動する。
【００３４】
そして、複数の突起部２３のうち、いずれかの突起部２３が回転ドラム２０の上部に到達すると、図３に示すように、その上部に到達した突起部２３が鍵５の鍵操作部２４に当接して鍵操作部２４を押し上げる。このときには、鍵操作部２４がほとんど弾性変形することなく押し上げられる。このため、鍵操作部２４は錘部２５の重量に抗して鍵５を押し上げる。
【００３５】
これにより、鍵５は、図３に示すように、屈曲部１０を中心に上方（図３では反時計回り）に回転し、鍵５の前端部のストッパ部１３が下部ケース３の位置規制部１４に下側から当接して、上限位置である初期位置に規制される。このときには、鍵５のスイッチ押圧部１５が鍵スイッチ部１６の上方に位置し、鍵スイッチ部１６の膨出部１９がドーム形状に弾性復帰して、鍵スイッチ部１６がオフ状態になる。
【００３６】
この状態で、回転ドラム２０が更に回転すると、図５に示すように、鍵５の鍵操作部２４が回転ドラム２０の上部に位置する突起部２３を乗り越えて次の突起部２３との間に対応する。すると、鍵５がその錘部２５の重量によって屈曲部１０を中心に下側（図５では時計回り）に回転する。これにより、鍵５の鍵操作部２４が回転ドラム２０の上部に位置する突起部２３間に挿入すると共に、鍵５のスイッチ押圧部１５が鍵スイッチ部１６を押圧してオン動作させる。
【００３７】
すなわち、鍵スイッチ部１６が鍵５のスイッチ押圧部１５によって押圧されると、鍵スイッチ部１６のスイッチ基板１８上に設けられたゴムシート１９の膨出部１９ａが、鍵５の錘部２５の重量によって潰れるように弾性変形し、この膨出部１９ａ内に設けられた可動接点１９ｂがスイッチ基板１８上の固定接点１８ａに接触する。これにより、鍵スイッチ部１６がオン動作してスイッチ信号を出力し、この鍵スイッチ部１６からのスイッチ信号に基づいてスピーカ部６が楽音を発生する。
【００３８】
このような鍵５および鍵スイッチ部１６の各動作は、鍵盤部４に配列された複数の鍵５および鍵スイッチ部１６のスイッチ基板１８上に設けられたゴムシート１９の各膨出部１９ａの全てが、回転ドラム２０に設けられた複数の突起部２３の回転移動に伴って順次動作する。これにより、演奏曲の楽譜に応じた楽音をスピーカ部６から発生して、自動演奏が行われる。このような自動演奏は、複数の鍵５が演奏曲に応じて上下方向に回転動作するので、初心者が鍵５の動きをイメージとして確認することができ、このため演奏曲を覚え易くすることができる。
【００３９】
そして、この自動演奏を停止させる際には、モータ部２１の駆動を停止させれば良い。このときには、回転ドラム２０の外周面に設けられた複数の突起部２３のうち、各鍵５に対応するいずれかの各突起部２３を回転ドラム２０の上部に位置させ、この上部に位置する各突起部２３によって複数の鍵５の各鍵操作部２４をそれぞれ押し上げて、各鍵５を初期位置に規制する。
【００４０】
一方、この電子鍵盤楽器を演奏者が操作して演奏する場合には、演奏者が複数の鍵５をそれぞれ押鍵操作すれば良い。このときには、回転ドラム２０の上部に位置する各突起部２３によって複数の鍵５の各鍵操作部２４がそれぞれ押し上げられて、各鍵５が初期位置に規制されていることにより、この状態で演奏者が複数の鍵５をそれぞれ押鍵操作することができる。
【００４１】
すなわち、回転ドラム２０の上部に位置する各突起部２３によって、各鍵操作部２４がそれぞれ押し上げられて、各鍵５が初期位置に規制されていても、各鍵５を上方から押鍵操作すると、図６に示すように、各鍵操作部２４が押鍵操作によってそれぞれ弾性変形する。このため、鍵５が屈曲部１０を中心に下側に回転して押し下げられ、この押し下げられた鍵５のスイッチ押圧部１５が鍵スイッチ部１６をオン動作させる。これにより、鍵スイッチ部１６がスイッチ信号を出力し、この鍵スイッチ部１６からのスイッチ信号に基づいてスピーカ部６が楽音を発生する。
【００４２】
このように、この実施形態１の電子鍵盤楽器によれば、楽器本体１の下部ケース３上に並列に配列された状態で上下方向に回転可能に設けられた複数の鍵５と、この複数の鍵５の下側に鍵５の配列方向に沿った状態で上下方向に回転可能に配置され、且つ外周面に複数の突起部２３が複数の鍵５にそれぞれ対応して設けられた回転ドラム２０と、複数の鍵５にそれぞれ設けられ且つ回転ドラム２０の回転動作に応じて複数の突起部２３が接離することにより、各鍵５を上下方向に回転動作させるための鍵操作部２４とを備えていることにより、簡単な構成で、複数の鍵５を自動的に動作させて自動演奏をすることができる。
【００４３】
すなわち、この電子鍵盤楽器では、回転ドラム２０を回転させると、この回転ドラム２０に設けられた複数の突起部２３が、複数の鍵５にそれぞれ設けられた各鍵操作部２４に接離することにより、各鍵５をそれぞれ上下方向に回転動作させることができ、これにより複数の鍵５を自動的に動作させることができる。
【００４４】
このため、発生させる楽音に応じて複数の鍵５をそれぞれ動作させることができると共に、複数の突起部２３を有する回転ドラム２０を、鍵操作部２４を有する複数の鍵５の下側に回転可能に配置するだけ良いので、構造が簡単で、複数の鍵５を自動的に動作させて自動演奏をすることができる。これにより、複数の鍵５が演奏曲に応じて上下方向に回転動作するので、初心者が鍵５の動きをイメージとして確認することができ、このため演奏曲を覚え易くすることができる。
【００４５】
この場合、鍵５の鍵操作部２４は、複数の突起部２３のうち、回転ドラム２０の上部に位置する突起部２３が当接した際に、鍵５を押し上げ、回転ドラム２０の上部に位置する突起部２３間に対応した際に、鍵５の押し上げを解除して鍵５の引き下げ動作を可能な状態にする構成であることにより、回転ドラム２０の上部に位置する突起部２３によって各鍵５の鍵操作部２４をそれぞれ確実に押し上げることができ、これにより鍵５を確実に押し上げて鍵スイッチ部１６をオフ状態にすることができる。
【００４６】
また、この鍵操作部２４は、回転ドラム２０の上部に位置する突起部２３間に各鍵５の鍵操作部２４が対応すると、複数の鍵５に対する押し上げを確実に解除することができるので、回転ドラム２０の上部に位置する突起部２３間に各鍵５の鍵操作部２４を確実に且つ良好に挿入させることができ、これにより各鍵５の引き下げ動作を可能にし、この引き下げ可能な各鍵５によって鍵スイッチ部１６をオン動作可能な状態にすることができる。
【００４７】
また、この実施形態１の電子鍵盤楽器では、複数の鍵をそれぞれ引き下げる方向に付勢するための付勢部材である錘部２５が各鍵５の前部にそれぞれ設けられているので、回転ドラム２０の上部に位置する突起部２３間に各鍵５の鍵操作部２４が対応した際に、錘部２５の重量によって確実に各鍵５の鍵操作部２４を各突起部２３間に挿入させることができ、これにより鍵５を確実に引き下げて鍵スイッチ部１６を良好にオン動作させることができる。
【００４８】
また、この実施形態１の電子鍵盤楽器では、複数の鍵５がそれぞれ上下方向に回転動作した際にそれぞれスイッチ動作するスイッチ部１６を更に備えており、この鍵スイッチ部１６は、複数の突起部２３のうち、回転ドラム２０の上部に位置する突起部２３が鍵操作部２４に下側から当接して鍵５を押し上げる際に、オフ動作し、回転ドラム２０の上部に位置する突起部２３間に鍵操作部２４が対応して鍵５が錘部２５の重量によって引き下げられる際に、オン動作する構成であることにより、回転ドラム２０の回転動作に伴う鍵５の上下方向の回転動作によって、鍵スイッチ部１６を確実にスイッチ動作させてスイッチ信号を出力することができ、このスイッチ信号によって楽音をスピーカ部６から良好に発生させることができる。
【００４９】
さらに、この実施形態１の電子鍵盤楽器では、鍵５の鍵操作部２４が、弾性部材からなり、複数の突起部２３のうち、回転ドラム２０の上部に位置する突起部２３が下側から当接して鍵５を押し上げる際に、ほとんど弾性変形せず、回転ドラム２０の上部に位置する突起部２３が下側から当接して鍵５を押し上げた状態で、鍵５が押鍵操作された際に、弾性変形して鍵５の押し下げ動作を可能にすることにより、自動演奏のほかに、演奏者の押鍵操作による通常の演奏をすることができる。
【００５０】
すなわち、この電子鍵盤楽器では、回転ドラム２０の上部に位置する突起部２３に当接して鍵５を押し上げた状態で鍵５を押鍵操作した際に、鍵操作部２４が弾性変形することにより、鍵５を押し下げることができ、これにより鍵５が鍵スイッチ部１６をオン動作させることができるので、演奏者の押鍵操作による通常の演奏をすることができる。
【００５１】
なお、上述した実施形態１では、複数の鍵５をそれぞれ引き下げる方向に付勢するための付勢部材として、各鍵５の前部にそれぞれ錘部２５を設けた場合について述べたが、必ずしも錘部２５の重量によって鍵５をそれぞれ引き下げる方向に付勢する必要はなく、例えば付勢部材として、ばね部材を用い、このばね部材のばね力によって各鍵５をそれぞれ引き下げる方向に付勢するように構成しても良い。
【００５２】
（実施形態２）
次に、図８〜図１１を参照して、この発明を電子鍵盤楽器に適用した実施形態２について説明する。なお、図１〜図７に示された実施形態１と同一部分には同一符号を付して説明する。
この電子鍵盤楽器は、図８および図９に示すように、複数の鍵５にそれぞれ設けられた各鍵操作部４０が、実施形態１と異なる構成であり、これ以外は実施形態１とほぼ同じ構成になっている。
【００５３】
すなわち、複数の鍵５にそれぞれ設けられた各鍵操作部４０は、図８および図９に示すように、各鍵５から回転ドラム２０の前側（図８では右側）を通って回転ドラム２０の下側に延び、この延び各先端部にそれぞれ当接部４０ａが回転ドラム２０の下部に向けて突出して設けられた構成になっている。
【００５４】
この場合、回転ドラム２０の外周面には、実施形態１と同様、複数の突起部４１が複数の鍵５にそれぞれ対応して設けられている。この複数の突起部４１は、演奏曲の楽譜に応じて各鍵５を動作させるために、複数の突起部４１が楽譜の音符に対応した状態で、回転ドラム２０の外周面にその円周方向に沿ってそれぞれ設けられている。
【００５５】
また、複数の鍵５は、図８に示すように、その各後端部に位置する各屈曲部１０の弾性復帰力、および鍵スイッチ部１６のゴムシート１９に設けられた各膨出部１９ａの弾性復帰力によって、それぞれ押し上げられるように構成されている。これにより、複数の鍵５の各鍵操作部４０は、図１０に示すように、複数の突起部４１のうち、回転ドラム２０の下部に位置する突起部４１が鍵操作部４０の当接部４０ａに上側から当接した際に、この突起部４１によって鍵操作部４０の当接部４０ａが押し下げられることにより、鍵５を引き下げるように構成されている。
【００５６】
また、複数の鍵５の各鍵操作部４０は、図８に示すように、複数の突起部４１のうち、回転ドラム２０の下部に位置する突起部４１間に各鍵操作部４０の当接部４０ａが対応した際に、各鍵５が各屈曲部１０およびゴムシート１９の各膨出部１９ａの各弾性復帰力によって押し上げられていることにより、各鍵操作部４０の当接部４０ａが突起部４１間に下側から挿入して、各鍵５を初期位置に復帰させるように構成されている。
【００５７】
さらに、複数の鍵５の各鍵操作部４０は、図８に示すように、回転ドラム２０に設けられた複数の突起部４１のうち、回転ドラム２０の下部に位置する突起部４１間に挿入した状態で、鍵５が押鍵操作された際に、図１１に示すように、鍵操作部４０の当接部４０ａが突起部４１間から下側に離脱して、鍵５が押し下げられるように構成されている。
【００５８】
この場合、複数の鍵５は、これらを押し下げるように付勢力して、鍵スイッチ部１６をオン動作させるための付勢部材である錘部２５を不要とする構成になっている。このため、鍵スイッチ部１６は、複数の突起部４１のうち、回転ドラム２０の下部に位置する突起部４１が鍵操作部４０の当接部４０ａに上側から当接して鍵５を引き下げる際に、オン動作し、回転ドラム２０の下部に位置する突起部４１間に鍵操作部４０の当接部４０ａが対応して鍵５が初期位置に復帰する際に、オフ動作するように構成されている。
【００５９】
次に、このような電子鍵盤楽器の作用について説明する。
この電子鍵盤楽器で自動演奏をする場合には、実施形態１と同様、モータ部２１を駆動して、回転ドラム２０を上下方向に回転させれば良い。このように回転ドラム２０が回転すると、その外周面に設けられた複数の突起部４１が回転ドラム２０と共に上下方向に回転移動する。
【００６０】
そして、複数の突起部４１のうち、いずれかの突起部４１が回転ドラム２０の下部に到達すると、図１０に示すように、その下部に到達した突起部４１が鍵５の鍵操作部４０の当接部４０ａに上側から当接して鍵操作部４０を押し下げる。これにより、鍵５が屈曲部１０を中心に下側（図１０では時計回り）に回転し、鍵５のスイッチ押圧部１５が鍵スイッチ部１６を押圧してオン動作させる。これにより、鍵スイッチ部１６がスイッチ信号を出力し、このスイッチ信号に基づいてスピーカ部６が楽音を発生する。
【００６１】
この後、回転ドラム２０が更に回転すると、鍵５の鍵操作部４０の当接部４０ａが回転ドラム２０の下部に位置する突起部４１を乗り越えて次の突起部４１間に対応する。このときには、鍵５の後端部に位置する屈曲部１０の弾性復帰力、および鍵スイッチ部１６のゴムシート１９に設けられた膨出部１９ａの弾性復帰力によって、鍵５が押し上げられていることにより、図８に示すように、鍵５の鍵操作部４０の当接部４０ａが回転ドラム２０の下部に位置する突起部４１間に下側から挿入する。
【００６２】
すると、鍵５は、図８に示すように、その前端部のストッパ部１３が下部ケース３の位置規制部１４に下側から当接して、上限位置である初期位置に規制される。このときには、鍵５のスイッチ押圧部１５が鍵スイッチ部１６の上方に位置し、鍵スイッチ部１６の膨出部１９がドーム形状に弾性復帰して、鍵スイッチ部１６がオフ状態になる。これにより、スピーカ部６が楽音の発生を停止する。
【００６３】
このような鍵５および鍵スイッチ部１６の各動作は、実施形態１と同様、鍵盤部４に配列された複数の鍵５および鍵スイッチ部１６のスイッチ基板１８上に設けられたゴムシート１９の各膨出部１９ａの全てが、回転ドラム２０に設けられた複数の突起部４１の回転移動に伴って順次動作する。
【００６４】
これにより、演奏曲の楽譜に応じた楽音をスピーカ部６から発生して、自動演奏が行われる。このような自動演奏は、実施形態１と同様、複数の鍵５が演奏曲に応じて上下方向に回転動作するので、初心者が鍵５の動きをイメージとして確認することができ、このため演奏曲を覚え易くすることができる。
【００６５】
そして、この自動演奏を停止させる際には、モータ部２１の駆動を停止させれば良い。このときには、回転ドラム２０の外周面に設けられた複数の突起部４１のうち、各鍵５に対応するいずれかの各突起部４１を回転ドラム２０の下部に位置させ、この下部に位置する各突起部４１間に複数の鍵５の各鍵操作部４０の当接部４０ａをそれぞれ挿入させて、各鍵５を初期位置に規制する。
【００６６】
一方、この電子鍵盤楽器を演奏者が操作して演奏する場合には、演奏者が複数の鍵５をそれぞれ押鍵操作すれば良い。このときには、回転ドラム２０の下部に位置する各突起部４１間に複数の鍵５における各鍵操作部４０の当接部４０ａがそれぞれ挿入して、各鍵５が初期位置に規制されていることにより、この状態で演奏者が複数の鍵５をそれぞれ押鍵操作することができる。
【００６７】
すなわち、演奏者が複数の鍵５をそれぞれ押鍵操作すると、図１１に示すように、回転ドラム２０の各突起部４１間に挿入している鍵５の鍵操作部４０の当接部４０ａが下側に押し下げられて、各突起部４１間から下側に離脱する。これにより、鍵５が屈曲部１０を中心に下側（図１１では時計回り）に回転して押し下げられ、この押し下げられた鍵５のスイッチ押圧部１５が鍵スイッチ部１６をオン動作させる。これにより、鍵スイッチ部１６がスイッチ信号を出力し、この鍵スイッチ部１６からのスイッチ信号に基づいてスピーカ部６が楽音を発生する。
【００６８】
このように、この実施形態２の電子鍵盤楽器によれば、回転ドラム２０を回転させると、この回転ドラム２０に設けられた複数の突起部４１が、複数の鍵５にそれぞれ設けられた各鍵操作部４０の当接部４０ａに接離することにより、各鍵５をそれぞれ上下方向に回転動作させることができるので、実施形態１と同様、複数の鍵５を自動的に動作させることができる。
【００６９】
このため、発生させる楽音に応じて複数の鍵５をそれぞれ動作させることができると共に、複数の突起部４１を有する回転ドラム２０を、鍵操作部４０を有する各鍵５の下側に回転可能に配置するだけ良いので、実施形態１と同様、構造が簡単で、複数の鍵５を自動的に動作させて自動演奏をすることができる。これにより、複数の鍵５が演奏曲に応じて上下方向に回転動作するので、初心者が鍵５の動きをイメージとして確認することができ、このため演奏曲を覚え易くすることができる。
【００７０】
この場合、鍵５の鍵操作部４０は、回転ドラム２０の下部に位置する突起部４１が当接した際に、鍵５を引き下げ、回転ドラム２０の下部に位置する突起部４１間に対応した際に、鍵５の引き下げ動作を解除して鍵５を初期位置に復帰可能にする構成であるから、回転ドラム２０の下部に位置する突起部４１によって鍵５の鍵操作部４０を確実に押し下げることができる。
【００７１】
また、この鍵５の鍵操作部４０は、回転ドラム２０の下部に位置する突起部４１間に鍵５の鍵操作部４０の当接部４０ａが対応した際に、鍵５に対する押し下げ動作を確実に解除して、回転ドラム２０の下部に位置する突起部４１間に鍵５の鍵操作部４０の当接部４０ａを良好に挿入させることができ、これにより鍵５を確実に且つ良好に初期位置に復帰させることができると共に、鍵スイッチ部１６をオフ動作させることができる。
【００７２】
すなわち、回転ドラム２０の下部に位置する突起部４１間に鍵５の鍵操作部４０の当接部４０ａが対応した際には、鍵５の後端部に位置する屈曲部１０の弾性復帰力、および鍵スイッチ部１６のゴムシート１９に設けられた膨出部１９ａの弾性復帰力によって、鍵５が押し上げられていることにより、回転ドラム２０の下部に位置するいずれかの突起部４１間に鍵操作部４０の当接部４０ａを下側から確実に且つ良好に挿入させることができ、これにより鍵５を確実に押し上げることができるので、鍵スイッチ部１６を確実に且つ良好にオフ動作させることができる。
【００７３】
また、この実施形態２の電子鍵盤楽器においても、鍵５の鍵操作部４０の当接部４０ａが回転ドラム２０の下部に位置する突起部４１間に挿入して、鍵５が押し上げられている状態で鍵５を押鍵操作した際に、鍵操作部４１の当接部４０ａが突起部４１間から下側に離脱して、鍵５の押し下げ動作を可能にする構成であることにより、回転ドラム２０に設けられた複数の突起部４１間に鍵操作部４０の当接部４０ａが挿入して、鍵５が初期位置に規制されている状態で、演奏者が鍵５を押鍵操作することにより、鍵５を押し下げることができ、これにより鍵５が鍵スイッチ部１６をオン動作させることができるので、演奏者によって通常の演奏をすることができる。
【００７４】
また、この実施形態２の電子鍵盤楽器においても、複数の鍵５がそれぞれ上下方向に回転動作した際にそれぞれスイッチ動作するスイッチ部１６を更に備えており、この鍵スイッチ部１６は、複数の突起部４１のうち、回転ドラム２０の下部に位置する突起部４１が鍵操作部４０の当接部４０ａに上側から当接して鍵５を引き下げる際に、オン動作し、回転ドラム２０の下部に位置する突起部４１間に鍵操作部４０の当接部４０ａが対応して鍵５が初期位置に復帰する際に、オフ動作する構成であることにより、実施形態１と同様、回転ドラム２０の回転動作に伴う鍵５の上下方向の回転動作によって、鍵スイッチ部１６を確実にスイッチ動作させてスイッチ信号を出力することができ、このスイッチ信号によって楽音をスピーカ部６から良好に発生させることができる。
【００７５】
なお、上述した実施形態１、２では、モータ部２１の出力軸２１ａを回転ドラム２０の支持軸２０ａに直接連結した構成である場合について述べたが、これに限らず、例えばモータ部２１の出力軸２１ａに減速装置を取り付け、この減速装置でモータ部２１の回転を減速させて回転ドラム２０に伝達するように構成しても良い。
【００７６】
また、上述した実施形態１、２では、回転ドラム２０の一端部に設けられた支持軸２０ａがモータ部２１の出力軸２１ａに連結され、回転ドラム２０の他端部に設けられた軸受け部２０ｂに支持部材２２の先端部２２ａが回転可能に挿入されていることにより、回転ドラム２０が下部ケース３上に回転可能に配置された構成である場合について述べたが、これに限らず、回転ドラム２０を下部ケース３上に回転可能な状態で着脱可能に取り付けるように構成しても良い。
【００７７】
このように構成すれば、回転ドラム２０を交換することができるので、演奏曲の楽譜ごとに異なる突起部を複数の回転ドラム２０にそれぞれ設け、この複数の回転ドラム２０を演奏曲に応じて交換することにより、様々な楽譜に応じた演奏曲を自動演奏により楽しむことができる。
【００７８】
さらに、上述した実施形態１、２およびその変形例では、回転ドラム２０をモータ部２１で回転させるように構成した場合について述べたが、必ずしもモータ部２１によって回転ドラム２０を回転させる必要はなく、例えばゼンマイなどの螺旋状のばね部材によって回転ドラム２０を回転させるように構成しても良い。
【００７９】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８０】
（付記）
請求項１に記載の発明は、楽器本体に並列に配列された状態で上下方向に回転可能に設けられた複数の鍵と、この複数の鍵の下側に前記鍵の配列方向に沿った状態で上下方向に回転可能に配置され、且つ外周面に複数の突起部が前記複数の鍵にそれぞれ対応して設けられた回転ドラムと、前記複数の鍵にそれぞれ設けられ、且つ前記回転ドラムの回転動作に応じて前記複数の突起部が接離することにより、前記各鍵をそれぞれ上下方向に回転動作させるための鍵操作部と、を備えていることを特徴とする鍵盤装置である。
【００８１】
請求項２に記載の発明は、請求項１に記載の鍵盤装置において、前記鍵の前記鍵操作部は、前記複数の突起部のうち、前記回転ドラムの上部に位置する前記突起部が下側から当接した際に前記鍵を押し上げ、前記回転ドラムの上部に位置する前記突起部間に対応した際に前記鍵の押し上げを解除して前記鍵の引き下げ動作を可能な状態にすることを特徴とする鍵盤装置である。
【００８２】
請求項３に記載の発明は、請求項２に記載の鍵盤装置において、前記複数の鍵をそれぞれ引き下げる方向に付勢する付勢部材を備えていることを特徴とする鍵盤装置である。
【００８３】
請求項４に記載の発明は、請求項２または請求項３に記載の鍵盤装置において、前記複数の鍵がそれぞれ上下方向に回転動作した際にそれぞれスイッチ動作するスイッチ部を更に備え、このスイッチ部は、前記複数の突起部のうち、前記回転ドラムの上部に位置する前記突起部が前記鍵操作部に下側から当接して前記鍵を押し上げる際に、オフ動作し、前記回転ドラムの上部に位置する前記突起部間に前記鍵操作部が対応して前記鍵が前記付勢部材によって引き下げられる際に、オン動作することを特徴とする鍵盤装置である。
【００８４】
請求項５に記載の発明は、請求項２〜請求項４に記載の鍵盤装置において、前記鍵の前記鍵操作部は、弾性部材からなり、前記複数の突起部のうち、前記回転ドラムの上部に位置する前記突起部が下側から当接して前記鍵を押し上げる際に、ほとんど弾性変形せず、前記回転ドラムの上部に位置する前記突起部が下側から当接して前記鍵が押し上げられた状態で、前記鍵が押鍵操作された際に、弾性変形して前記鍵の押し下げ動作を可能にすることを特徴とする鍵盤装置である。
【００８５】
請求項６に記載の発明は、請求項１に記載の鍵盤装置において、前記鍵の前記鍵操作部は、前記複数の突起部のうち、前記回転ドラムの下部に位置する前記突起部が上側から当接した際に、前記鍵を引き下げ、前記回転ドラムの下部に位置する前記突起部間に対応した際に、前記鍵の引き下げ動作を解除して、前記鍵を初期位置に復帰可能な状態にすることを特徴とする鍵盤装置である。
【００８６】
請求項７に記載の発明は、請求項６に記載の鍵盤装置において、前記鍵の前記鍵操作部は、前記複数の突起部のうち、前記回転ドラムの下部に位置する前記突起部間に挿入した状態で、前記鍵が押鍵操作された際に、前記突起部間から下側に離脱して、前記鍵の押し下げ動作を可能にすることを特徴とする鍵盤装置である。
【００８７】
請求項８に記載の発明は、請求項６または請求項７に記載の鍵盤装置において、前記複数の鍵がそれぞれ上下方向に回転動作した際にそれぞれスイッチ動作するスイッチ部を更に備え、このスイッチ部は、前記複数の突起部のうち、前記回転ドラムの下部に位置する前記突起部が前記鍵操作部に上側から当接して前記鍵を引き下げる際に、オン動作し、前記回転ドラムの下部に位置する前記突起部間に前記鍵操作部が対応して前記鍵が初期位置に復帰する際に、オフ動作することを特徴とする鍵盤装置である。
【符号の説明】
【００８８】
１  楽器本体
２  上部ケース
３  下部ケース
４  鍵盤部
５  鍵
６  スピーカ部
１０  鍵の屈曲部
１１  鍵の連結部
１５  スイッチ押圧部
１６  鍵スイッチ部
１８  スイッチ基板
１９  ゴムシート
１９ａ  ドーム状の膨出部
２０  回転ドラム
２１  モータ部
２３、４１  複数の突起部
２４、４０  鍵操作部
４０ａ  当接部
【図１】
2013015627.tif 000003
【図２】
2013015627.tif 000004
【図３】
2013015627.tif 000005
【図４】
2013015627.tif 000006
【図５】
2013015627.tif 000007
【図６】
2013015627.tif 000008
【図７】
2013015627.tif 000009
【図８】
2013015627.tif 000010
【図９】
2013015627.tif 000011
【図１０】
2013015627.tif 000012
【図１１】
2013015627.tif 000013